(57)【要約】【課題】省電力動作状態の下で通常動作状態と同様の音量レベルを保持することのできる画像処理装置を提供する。【解決手段】  （第１）音量調整回路８１は、少なくとも第１領域（メイン基板２０）内に実装された音源から出力された音響信号及び音量レベルを調整するための音量調整制御信号が入力され、前記音量調整制御信号に基づいて前記音響信号の音量レベルを調整して出力する。音響出力回路１５は、省電力動作状態下であっても通電が継続する特定の電子部品として第２領域（サブ基板１０）内に実装され、音量レベルが調整された前記音響信号が前記音量調整回路から入力されると、この音響信号を外部に出力する。音量調整回路８１は、省電力動作状態の下では、入力される前記音量調整制御信号に基づいて、若しくは前記通常動作状態の下で入力された前記音量調整制御信号の保持情報に基づいて前記音響信号の音量レベルを調整する。【選択図】        図６
2013157976.tif 000002
【特許請求の範囲】
【請求項１】
画像データを処理すると共に、第１領域内及び第２領域内の双方に実装された各電子部品に通電される通常動作状態と、前記第１領域内に実装された各電子部品及び前記第２領域内の特定の電子部品に対しては通電される一方で前記第２領域内の前記特定の電子部品以外の電子部品に対しては通電が停止する省電力動作状態と、の間で電力供給状態が切替可能に構成される画像処理装置であって、
前記第１領域内又は前記特定の電子部品として前記第２領域内に実装され、少なくとも前記第１領域内に実装された音源から出力された音響信号及び音量レベルを調整するための音量調整制御信号が入力され、前記音量調整制御信号に基づいて前記音響信号の音量レベルを調整して出力する音量調整回路と、
前記特定の電子部品として前記第２領域内に実装され、音量レベルが調整された前記音響信号が前記音量調整回路から入力されると、この音響信号を外部に出力する音響出力回路とを備え、
前記音量調整回路は、前記省電力動作状態の下では、入力される前記音量調整制御信号に基づいて、若しくは前記通常動作状態の下で入力された前記音量調整制御信号の保持情報に基づいて前記音響信号の音量レベルを調整することを特徴とする画像処理装置。
【請求項２】
前記特定の電子部品以外の電子部品として前記第２領域内に実装されたサブＭＰＵを備え、
前記音量調整回路は、入力された情報を一時的に保持するラッチ回路を有する構成であって、前記ラッチ回路によって前記通常動作状態の下で前記サブＭＰＵから入力された前記音量調整制御信号の値を保持すると共に、前記省電力動作状態の下で当該ラッチ回路に保持された前記音量調整制御信号の値を読み出して、当該読み出された値に基づいて前記音響信号の音量レベルを調整することを特徴とする請求項１に記載の画像処理装置。
【請求項３】
前記特定の電子部品として前記第２領域内に実装された、前記音量調整回路としての第１音量調整回路と、前記特定の電子部品以外の電子部品として前記第２領域内に実装された第２音量調整回路を有し、
前記第２音量調整回路は、前記通常動作状態の下で、前記第１領域内に実装された音源又は前記特定の電子部品以外の電子部品として前記第２領域内に実装された音源から出力された音響信号及び前記サブＭＰＵから出力された前記音量調整制御信号が入力され、前記音量調整制御信号に基づいて前記音響信号の音量レベルを調整して前記音響出力回路に出力し、
前記第１音量調整回路は、前記通常動作状態の下で前記第２音量調整回路に入力された前記音量調整制御信号の値を前記ラッチ回路によって保持し、前記省電力動作状態の下で、当該保持された値を読み出して、当該読み出された値に基づいて前記第１領域内に実装された音源から出力された音響信号の音量レベルを調整して前記音響出力回路に出力することを特徴とする請求項２に記載の画像処理装置。
【請求項４】
前記音量調整回路が、
前記特定の電子部品として前記第２領域内に実装されており、
前記通常動作状態の下では、前記第１領域内に実装された音源又は前記特定の電子部品以外の電子部品として前記第２領域内に実装された音源から出力された音響信号及び前記サブＭＰＵから出力された前記音量調整制御信号が入力され、前記音量調整制御信号に基づいて前記音響信号の音量レベルを調整して前記音響出力回路に出力し、
前記省電力動作状態の下では、前記ラッチ回路が保持した直前の前記通常動作状態の下で入力された前記音量調整制御信号の値を読み出して、当該読み出された値に基づいて前記第１領域内に実装された音源から出力された音響信号の音量レベルを調整して前記音響出力回路に出力することを特徴とする請求項２に記載の画像処理装置。
【請求項５】
前記ラッチ回路が、Ｄ−ＦＦ（Ｄ−フリップフロップ）回路によって構成されることを特徴とする請求項２〜４のいずれか１項に記載の画像処理装置。
【請求項６】
前記ラッチ回路が、Ｄ−Ｌａｔｃｈ（Ｄラッチ）回路によって構成されることを特徴とする請求項２〜４のいずれか１項に記載の画像処理装置。
【請求項７】
前記第１領域内に実装されたメインＭＰＵを備え、
前記音量調整回路は前記第１領域内に実装され、前記メインＭＰＵから出力される前記音量調整制御信号に基づいて前記音響信号の音量レベルを調整して前記音響出力回路に出力することを特徴とする請求項１に記載の画像処理装置。
【請求項８】
前記第１領域内に実装されたメインＭＰＵと、
前記特定の電子部品以外の電子部品として前記第２領域内に実装されたサブＭＰＵと、
前記第１領域内に実装された、前記音量調整回路としての第１音量調整回路と、
前記特定の電子部品以外の電子部品として前記第２領域内に実装された第２音量調整回路を有し、
前記第２音量調整回路は、前記通常動作状態の下で、前記第１領域内に実装された音源又は前記特定の電子部品以外の電子部品として前記第２領域内に実装された音源から出力された音響信号及び前記サブＭＰＵから出力された前記音量調整制御信号が入力され、当該音量調整制御信号に基づいて前記音響信号の音量レベルを調整して前記音響出力回路に出力し、
前記第１音量調整回路は、前記省電力動作状態の下で、前記第１領域内に実装された音源から出力された音響信号及び前記メインＭＰＵから出力された前記音量調整制御信号が入力され、当該音量調整制御信号に基づいて前記音響信号の音量レベルを調整して前記音響出力回路に出力することを特徴とする請求項１に記載の画像処理装置。
【請求項９】
前記第１領域内に実装されたメインＭＰＵと、
前記特定の電子部品以外の電子部品として前記第２領域内に実装されたサブＭＰＵと、
前記特定の電子部品として前記第２領域内に実装されたミュート制御回路を有し、
前記ミュート制御回路は、前記通常動作状態の下では前記サブＭＰＵから、前記省電力動作状態の下では前記メインＭＰＵから制御信号が入力されると、前記音響出力回路に対してミュート制御信号を出力し、前記音響出力回路からの音響出力をミュートにすることを特徴とする請求項２〜６、８のいずれか１項に記載の画像処理装置。
【請求項１０】
前記第１領域内に実装されたメインＭＰＵと、
前記特定の電子部品以外の電子部品として前記第２領域内に実装されたサブＭＰＵと、
前記特定の電子部品として、前記第２領域内に、前記通常動作状態と前記省電力動作状態の間の状態遷移を外部から指示するための省エネスイッチを有し、
前記通常動作状態の下で前記省エネスイッチが操作されると、前記サブＭＰＵは当該操作されたことを示す信号が入力され、前記第２領域内の音源に対してその旨の音響信号の生成制御を行った後、前記第２領域内の前記特定の電子部品以外の電子部品に対する通電停止制御を行い、
前記省電力動作状態の下で前記省エネスイッチが操作されると、前記メインＭＰＵは当該操作されたことを示す信号が入力され、前記第１領域内の音源に対してその旨の音響信号の生成制御を行うと共に、前記第２領域内の前記特定の電子部品以外の電子部品に対する通電開始制御を行うことを特徴とする請求項２〜６、８のいずれか１項に記載の画像処理装置。
【請求項１１】
前記第１領域がメイン基板上の領域であり、前記第２領域が前記メイン基板とは離間したサブ基板上の領域であることを特徴とする請求項１〜１０のいずれか１項に記載の画像処理装置。
【請求項１２】
前記サブ基板が、当該画像処理装置を操作するための操作パネルが実装されたＭＭＩ（Man-Machine-Interface）基板であることを特徴とする請求項１１に記載の画像処理装置。
【発明の詳細な説明】
【技術分野】
【０００１】
本発明は画像処理装置に関し、より詳細には、通常動作状態と省電力動作状態との間で動作状態の遷移が可能に構成された画像処理装置に関する。
【背景技術】
【０００２】
近年、オフィス等で広く使用されているプリンタ、複写機、ファクシミリ装置、又はそれらの装置の機能を併せ持つ複合機等の画像処理装置においては、使いやすさの向上のため、液晶ディスプレイや有機エレクトロルミネッセンスのディスプレイ等のパネルディスプレイを備えることが多い。このような画像処理装置は、操作キーやタッチパネル等の操作部品への操作に対応した画像やメッセージ等のガイダンス情報を、パネルディスプレイにより出力する。
【０００３】
そして、これらの画像処理装置においては、ガイダンス情報の音声、ファクシミリ装置からの着信を通知するメロディ及びキーやタッチパネルを操作した際の操作音といった音響信号を出力する機能を備えるものもある。
【０００４】
ところで、昨今の省エネ・省電力意識の高まりに起因して、画像処理装置においても、消費電力を軽減化する目的で、非操作時間（待機時間）が一定時間を超えると最小限の回路に対してのみ通電を行う省電力動作状態に自動的に移行する機能を備えた機種が開発されている。より具体的には、このような画像処理装置は、省電力動作状態の下でも通電を停止できないＣＰＵやＭＯＤＥＭが搭載されたメイン基板と、省電力動作状態では通電が停止されるディスプレイ操作用のキーマトリクス、タッチパネル或いはＬＥＤを搭載したマンマシンインタフェース用基板（サブ基板）とを備える構成である。
【０００５】
そして、キーマトリクスやタッチパネルなどを操作したときの操作音を出力する音響出力回路については、その操作箇所に近い基板に搭載した方が生産効率の観点からは好ましいため、前記のサブ基板上に搭載される。そして、音響出力回路の設置数を減らす観点から、メイン基板に関連したイベントに由来する音声についても、このサブ基板上に搭載された音響出力回路を介して出力させる構成を採用するのが好ましい。
【０００６】
しかし、この構成の場合、省電力動作状態の下ではサブ基板に対する通電が停止されてしまうため、音響出力回路に対する通電が停止されてしまう。この結果、メイン基板に関連したイベントが発生した場合に、かかるイベントに由来する音声を出力できないという問題がある。
【０００７】
下記特許文献１には、サブ基板上に搭載された回路のうち、アンプやスピーカといった音響出力回路に対しては省電力動作状態の下でも通電を停止しない構成とすることで、上記の問題を解消させた技術が開示されている。
【先行技術文献】
【特許文献】
【０００８】
【特許文献１】特開２０１１−９７３１５号公報
【発明の概要】
【発明が解決しようとする課題】
【０００９】
特許文献１においては、音響出力回路から出力される音声の音量を調整する機能をどのように実現するかという点についての記述がない。特に、省電力動作状態においては、音響出力回路が搭載されているサブ基板に対しては音響出力回路以外の回路に対して通電が停止される旨記載されているため、音量調整機能をどのように実現するかという点は課題となる。
【００１０】
本発明は、上記の問題点に鑑み、省電力動作状態の下で通常動作状態と同様の音量レベルを保持することのできる画像処理装置を提供することを目的とする。
【課題を解決するための手段】
【００１１】
上記課題を解決すべく、本発明に係る画像処理装置は、画像データを処理すると共に、第１領域内及び第２領域内の双方に実装された各電子部品に通電される通常動作状態と、前記第１領域内に実装された各電子部品及び前記第２領域内の特定の電子部品に対しては通電される一方で前記第２領域内の前記特定の電子部品以外の電子部品に対しては通電が停止する省電力動作状態と、の間で電力供給状態が切替可能に構成される画像処理装置であって、更に、以下の構成を備えることを特徴とする。
【００１２】
まず、前記第１領域内又は前記特定の電子部品として前記第２領域内に実装され、少なくとも前記第１領域内に実装された音源から出力された音響信号及び音量レベルを調整するための音量調整制御信号が入力され、前記音量調整制御信号に基づいて前記音響信号の音量レベルを調整して出力する音量調整回路を備える。更に、前記特定の電子部品として前記第２領域内に実装され、音量レベルが調整された前記音響信号が前記音量調整回路から入力されると、この音響信号を外部に出力する音響出力回路を備える。
【００１３】
そして、前記音量調整回路は、前記省電力動作状態の下では、入力される前記音量調整制御信号に基づいて、若しくは前記通常動作状態の下で入力された前記音量調整制御信号の保持情報に基づいて前記音響信号の音量レベルを調整する構成である。
【００１４】
上記構成としたとき、通電箇所が限定的となる省電力動作状態の下でも、音量調整回路に対する通電は行われる。そして、音量調整回路が、音量レベルを調整するための音量調整制御信号が省電力動作状態の下でも入力される構成である場合には、この信号に基づいて音量レベルの調整が可能である。また、仮に音量調整制御信号が省電力動作状態の下で入力されない場合、より具体的には、音量調整制御信号を出力する制御部（ＭＰＵ）が省電力動作状態の下で通電が停止するような場合であっても、通常動作状態の下で入力された音量調整制御信号の値が内部に保持されているため、省電力動作状態の下では、この保持された値に基づいて音量調整を行うことが可能である。よって、通常動作状態から省電力動作状態に移行した後であっても、直前の音量レベルを保持することが可能となる。従って、例えば、省電力動作状態に移行したことで、急激に音量レベルが上昇したり下降したりするといった現象が生じるのを防ぐことができる。
【００１５】
より具体的には、以下の構成を備えることが可能である。すなわち、前記特定の電子部品以外の電子部品として前記第２領域内に実装されたサブＭＰＵを備え、前記音量調整回路は、入力された情報を一時的に保持するラッチ回路を有する構成である。そして、前記ラッチ回路によって前記通常動作状態の下で前記サブＭＰＵから入力された前記音量調整制御信号の値を保持すると共に、前記省電力動作状態の下で当該ラッチ回路に保持された前記音量調整制御信号の値を読み出して、当該読み出された値に基づいて前記音響信号の音量レベルを調整する。
【００１６】
この構成に加えて、更に以下の構成を備えることが可能である。すなわち、前記特定の電子部品として前記第２領域内に実装された、前記音量調整回路としての第１音量調整回路と、前記特定の電子部品以外の電子部品として前記第２領域内に実装された第２音量調整回路を有する構成とする。
【００１７】
そして、前記第２音量調整回路は、前記通常動作状態の下で、前記第１領域内に実装された音源又は前記特定の電子部品以外の電子部品として前記第２領域内に実装された音源から出力された音響信号及び前記サブＭＰＵから出力された前記音量調整制御信号が入力され、前記音量調整制御信号に基づいて前記音響信号の音量レベルを調整して前記音響出力回路に出力する。また、前記第１音量調整回路は、前記通常動作状態の下で前記第２音量調整回路に入力された前記音量調整制御信号の値を前記ラッチ回路によって保持し、前記省電力動作状態の下で、当該保持された値を読み出して、当該読み出された値に基づいて前記第１領域内に実装された音源から出力された音響信号の音量レベルを調整して前記音響出力回路に出力する。
【００１８】
別の具体例としては、以下の構成を備えることが可能である。すなわち、前記音量調整回路を前記特定の電子部品として前記第２領域内に実装する。そして、前記音量調整回路は、前記通常動作状態の下では、前記第１領域内に実装された音源又は前記特定の電子部品以外の電子部品として前記第２領域内に実装された音源から出力された音響信号及び前記サブＭＰＵから出力された前記音量調整制御信号が入力され、前記音量調整制御信号に基づいて前記音響信号の音量レベルを調整して前記音響出力回路に出力する。一方、前記音量調整回路は、前記省電力動作状態の下では、前記ラッチ回路が保持した直前の前記通常動作状態の下で入力された前記音量調整制御信号の値を読み出して、当該読み出された値に基づいて前記第１領域内に実装された音源から出力された音響信号の音量レベルを調整して前記音響出力回路に出力する。
【００１９】
このとき、前記音量調整回路に、前記第１領域内に実装された音源から出力された音響信号と前記特定の電子部品以外の電子部品として前記第２領域内に実装された音源から出力された音響信号を選択的に出力させるための回路（例えば加算回路）を設ける構成とするのが好適である。
【００２０】
また、上記のラッチ回路としては、Ｄ−ＦＦやＤ−Ｌａｔｃｈによって実現することが可能である。
【００２１】
また、別の具体例としては、以下の構成を備えることが可能である。すなわち、前記第１領域内に実装されたメインＭＰＵを備え、前記音量調整回路は前記第１領域内に実装され、前記メインＭＰＵから出力される前記音量調整制御信号に基づいて前記音響信号の音量レベルを調整して前記音響出力回路に出力する。
【００２２】
また、別の具体例としては、以下の構成を備えることが可能である。すなわち、前記第１領域内に実装されたメインＭＰＵと、前記特定の電子部品以外の電子部品として前記第２領域内に実装されたサブＭＰＵと、前記第１領域内に実装された、前記音量調整回路としての第１音量調整回路と、前記特定の電子部品以外の電子部品として前記第２領域内に実装された第２音量調整回路を有する。
【００２３】
そして、前記第２音量調整回路は、前記通常動作状態の下で、前記第１領域内に実装された音源又は前記特定の電子部品以外の電子部品として前記第２領域内に実装された音源から出力された音響信号及び前記サブＭＰＵから出力された前記音量調整制御信号が入力され、当該音量調整制御信号に基づいて前記音響信号の音量レベルを調整して前記音響出力回路に出力する。また、前記第１音量調整回路は、前記省電力動作状態の下で、前記第１領域内に実装された音源から出力された音響信号及び前記メインＭＰＵから出力された前記音量調整制御信号が入力され、当該音量調整制御信号に基づいて前記音響信号の音量レベルを調整して前記音響出力回路に出力する。
【００２４】
更に、上記構成に加えて、以下の構成を備えることも可能である。すなわち、前記第１領域内に実装されたメインＭＰＵと、前記特定の電子部品以外の電子部品として前記第２領域内に実装されたサブＭＰＵと、前記特定の電子部品として前記第２領域内に実装されたミュート制御回路を有する。そして、このミュート制御回路は、前記通常動作状態の下では前記サブＭＰＵから、前記省電力動作状態の下では前記メインＭＰＵから制御信号が入力されると、前記音響出力回路に対してミュート制御信号を出力し、前記音響出力回路からの音響出力をミュートにする。
【００２５】
また、別の具体例としては、以下の構成を備えることが可能である。すなわち、前記第１領域内に実装されたメインＭＰＵと、前記特定の電子部品以外の電子部品として前記第２領域内に実装されたサブＭＰＵと、前記特定の電子部品として、前記第２領域内に、前記通常動作状態と前記省電力動作状態の間の状態遷移を外部から指示するための省エネスイッチを有する。
【００２６】
そして、前記通常動作状態の下で前記省エネスイッチが操作されると、前記サブＭＰＵは当該操作されたことを示す信号が入力され、前記第２領域内の音源に対してその旨の音響信号の生成制御を行った後、前記第２領域内の前記特定の電子部品以外の電子部品に対する通電停止制御を行う。一方、前記省電力動作状態の下で前記省エネスイッチが操作されると、前記メインＭＰＵは当該操作されたことを示す信号が入力され、前記第１領域内の音源に対してその旨の音響信号の生成制御を行うと共に、前記第２領域内の前記特定の電子部品以外の電子部品に対する通電開始制御を行う。
【００２７】
なお、通常動作状態から省電力動作状態への移行は、この省エネスイッチの操作以外には、非操作時間が所定の時間を超えたことをメインＭＰＵが認識した場合に、メインＭＰＵによって自動的に行われるものとしてよい。また、省電力動作状態から通常動作状態への移行は、省電力動作状態の下で、画像処理装置に対して所定の信号が与えられたことをメインＭＰＵが認識した場合に、メインＭＰＵによって自動的に行われるものとしてよい。この所定の信号としては、例えばファクシミリ受信信号などが挙げられる。
【００２８】
また、上記構成において、前記第１領域をメイン基板上の領域とし、前記第２領域を前記メイン基板とは離間したサブ基板上の領域とすることが可能である。この場合において、サブ基板を、当該画像処理装置を操作するための操作パネルが実装されたＭＭＩ基板とすることができる。
【００２９】
この場合、サブ基板上には、操作用のキーマトリクスや表示／タッチパネルとしてのパネルディスプレイ、表示用のＬＥＤなどが実装される構成とすることができる。
【発明の効果】
【００３０】
本発明によれば、通常動作状態から省電力動作状態に移行した後であっても、直前の通常動作状態における音量レベルを保持することができるか、若しくは通常動作状態と同様の音量調整機能を確保できる。したがって、省電力動作状態に移行したことで、急激に音量レベルが上昇したり下降したりするといった現象が生じるのを防ぐことができる。
【図面の簡単な説明】
【００３１】
【図１】本発明の画像処理装置の第１実施形態の全体構成を模式的に示すブロック図である。
【図２】第１実施形態における音量調整回路の一実施例を模式的に示すブロック図である。
【図３】図１において音響に関係する箇所を抜粋して模式的に示したブロック図である。
【図４】本発明の画像処理装置の第２実施形態の全体構成を模式的に示すブロック図である。
【図５】図４において音響に関係する箇所を抜粋して模式的に示したブロック図である。
【図６】本発明の画像処理装置の第３実施形態の全体構成を模式的に示すブロック図である。
【図７】図６において音響に関係する箇所を抜粋して模式的に示したブロック図である。
【図８】第３実施形態における音量調整機能を説明するための概念的なブロック図である。
【図９】本発明の画像処理装置の第４実施形態の全体構成を模式的に示すブロック図である。
【図１０】図９において音響に関係する箇所を抜粋して模式的に示したブロック図である。
【図１１】第４実施形態における音量調整機能を説明するための概念的なブロック図である。
【図１２】第４実施形態における音量調整機能を説明するためのタイミングチャートである。
【図１３】第４実施形態における音量調整機能を実現するための別実施例に係る概念的なブロック図である。
【発明を実施するための形態】
【００３２】
本発明に係る画像処理装置（以下、適宜「本装置」と略記する。）の実施形態につき、図面を参照して説明する。
【００３３】
〔第１実施形態〕
本装置の第１実施形態（以下、適宜「本実施形態」という。）の構成について説明する。
【００３４】
［全体構成］
図１は、本実施形態に係る画像処理装置１の全体構成を示す概念的ブロック図である。本装置１は、プリンタ、スキャナ、複写機及びファクシミリ装置として機能する複合機である。本装置１は、メイン基板２０、サブ基板１０、スキャナユニット３０、プリンタユニット４０、ＮＣＵ（Network Control Unit）基板５０、ＬＡＮインタフェース（I/F）基板６０、メイン電源（第１電源）７０、省エネ電源（第２電源）８０及び制御スイッチ７１、７２及び７３を備えている。
【００３５】
また、サブ基板１０、メイン基板２０、スキャナユニット３０が備えるスキャナ制御基板３１及びプリンタユニット４０が備えるプリンタ制御基板４１が、バス１００により接続されている。
【００３６】
［サブ基板］
サブ基板１０は、キーマトリクス１１、パネルディスプレイ１２、発光ダイオード（ＬＥＤ）１３、及び音響出力回路１５などが実装された電子基板である。
【００３７】
キーマトリクス１１は、人に操作される部品であり、複数の信号出力ライン各々に対し、複数の操作キーが電気的に接続された回路を備えている。後述するように、メイン基板２０には制御部となるメインＭＰＵ（Micro-Processing Unit）２１を備えており、本実施形態ではこのＭＰＵ２１がキーマトリクス１１に対してキーマトリクススキャンを行う。キーマトリクススキャンは、キーマトリクス１１における信号出力ライン各々に対して信号を周期的に出力しつつ、信号出力ラインごとの操作キーのＯＮ／ＯＦＦ状態を検出する処理である。このキーマトリクススキャンにより、メインＭＰＵ２１が操作キーに対する操作の状況を検知する。
【００３８】
また、メインＭＰＵ２１は、キーマトリクス１１に対する操作に対応した表示情報の映像信号を生成し、この映像信号をパネルディスプレイ１２に出力する。この表示情報には、例えば、キー操作により選択された機能の情報、キー操作により入力された文字の情報及びキー操作により要求されたガイダンス情報などが含まれる。これにより、パネルディスプレイ１２は、画像及び文字列を含む情報を表示する。パネルディスプレイ１２は、例えば、液晶パネル及びバックライトからなる液晶ディスプレイ、又は有機エレクトロルミネッセンスのディスプレイである。
【００３９】
更に、本実施形態においては、メインＭＰＵ２１がキーマトリクス１１に対して操作がなされたことを検知すると、メイン基板２０上にある音響信号生成回路２７に対してキーマトリクス１１に対する操作に対応した音響信号の生成制御を行う。音響信号生成回路２７によって生成された音響信号は、後述する音量調整回路８１において音量調整処理が施された後、サブ基板１０上の音響出力回路１５に出力される。以下では、キーマトリクス１１に対する操作などサブ基板１０上のイベント（ただし省エネスイッチ１８の押下は除く。詳細は後述する。）に起因した信号のことを「第１音響信号」と呼ぶ。この第１音響信号には、操作キーの操作音（アック音、ナック音）、キー操作により要求されたガイダンスの音声、エラー通知のためのビープ音などが含まれる。
【００４０】
音響出力回路１５は、入力された音響信号を増幅するアンプ、このアンプに接続されたスピーカを含む構成である。音響出力回路１５には、後述するように音響信号生成回路２７によって生成された音響信号又はＭＯＤＥＭ２８から出力される音響信号が入力される。音響出力回路１５に入力される音響信号としては、前記のようにキーマトリクス１１に対する操作などサブ基板１０上のイベントに起因した信号（第１音響信号）の他、画像データの処理のエラー通知信号、擬似ベル音などメイン基板２０上のイベントに起因した信号（以下、「第２音響信号」という。）、ファクシミリを受信したときにＭＯＤＥＭ２８から出力されるファクシミリ受信信号（以下、「第３音響信号」という。）が含まれる。第２音響信号には、省エネスイッチ１８が押下されたときの操作音（アック、ナック音）も含まれる。
【００４１】
前記のエラー通知信号としては、例えば、プリンタユニット４０において画像データに基づくプリント処理のエラーを通知する音響信号、及びＬＡＮインタフェース基板６０における画像データの受信処理のエラーを通知する音響信号などが挙げられる。なお、図１では、メイン基板２０上に切替スイッチ２９が設けられ、メインＭＰＵ２１から出力される制御信号に応じて、音響信号生成回路２７から出力される音響信号及びＭＯＤＥＭ２８から出力される音響信号のうちのいずれか一方が選択され、音量調整回路８１に出力される。切替スイッチ２９により選択された音響信号は、音量調整回路８１によって音量調整がなされた後、サブ基板１０の音響出力回路１５へ出力される。
【００４２】
また、本実施形態では、メイン基板２０上に搭載されたメインＭＰＵ２１がミュート制御信号の出力が可能に構成されている。音響出力回路１５は、このミュート制御信号の入力を受け付けると、出力する音響信号のボリュームをゼロにする（ミュートにする）。
【００４３】
また、サブ基板１０に実装されたＬＥＤ１３は、サブ基板１０の動作状態をその点灯の状態によって通知するための発光部品である。更に、このサブ基板１０には、人の操作によってＯＮとＯＦＦとが切り替わる操作スイッチである省エネスイッチ（「節電キー」とも称する。）１８が設けられている。本実施形態では、この省エネスイッチ１８の状態（ＯＮ又はＯＦＦ）が、メイン基板２０に実装されたメインＭＰＵ２１によって検知される。
【００４４】
［スキャナユニット］
スキャナユニット３０は、スキャナ制御基板３１及び各種センサを備える。図１では、各種センサとして、ＣＣＤ（Charge Coupled Device）ラインセンサ３２、原稿センサ３３及び原稿カバーセンサ３４を示している。
【００４５】
ＣＣＤラインセンサ３２は、原稿を走査することにより、その原稿の画像を１ライン分ずつ読み取るイメージセンサである。原稿センサ３３は、自動ドキュメントフィーダ（ＡＤＦ）に原稿がセットされたことを検出するセンサである。原稿カバーセンサ３４は、原稿台を開閉可能に設けられた原稿カバーが、原稿台を覆う閉状態であるか、原稿台を開放する開状態であるかを検出するセンサである。
【００４６】
スキャナ制御基板３１は、原稿センサ３３及び原稿カバーセンサ３４の検出結果に基づいて、画像のスキャン処理の中断やエラーメッセージの通知といった制御も行う。なお、エラーメッセージの通知は、メイン基板２０及びサブ基板１０を介して行われる。
【００４７】
スキャナユニット３０は、更に不図示の駆動機構を備えている。この駆動機構は、ＣＣＤラインセンサ３２を原稿に対して主走査方向に移動させる機構である。スキャナ制御基板３１は、この駆動機構を制御することにより、原稿に対するＣＣＤラインセンサ３２の走査を制御する。ＣＣＤラインセンサ３２により得られる画像データは、メイン基板２０へ伝送される。また、スキャナ制御基板３１は、原稿センサ３３及び原稿カバーセンサ３４の検出結果に基づいて、ＣＣＤラインセンサ３２の走査の開始や停止を制御する。
【００４８】
［プリンタユニット］
プリンタユニット４０は、不図示の画像転写装置、プリンタ制御基板４１及び各種のセンサを備えている。図１では、各種センサとして、搬送路カバーセンサ４２，カセットセンサ４３及びジャムセンサ４４を示している。
【００４９】
画像転写装置は、カセットに収容されたシート材を搬送するローラ、そのシート材にトナー画像を転写する画像転写部、シート材にトナー画像を溶着させる定着装置などを備えている。プリンタ制御基板４１は、画像転写装置を制御するプリンタ制御回路が実装された電子基板である。
【００５０】
搬送路カバーセンサ４２は、シート材の搬送路のカバーの開閉状態を検出するセンサである。カセットセンサ４３は、シート材が収容されるカセットが正常にセットされているか否かを検出するセンサである。ジャムセンサ４４は、シート材の詰まりを検出するセンサである。そして、プリンタ制御基板４１は、搬送路カバーセンサ４２、カセットセンサ４３及びジャムセンサ４４の検出結果に基づいて、プリント処理の中断、エラーメッセージの通知等の制御も行う。このエラーメッセージの通知は、メイン基板２０及びサブ基板１０を介して行われる。
【００５１】
［メイン基板］
前記メイン基板２０は、メインＭＰＵ２１、ＲＯＭ２２、ＳＲＡＭ２３、メモリコントローラ２４、ＳＤＲＡＭ２５、ＣＯＤＥＣ２６、音響信号生成回路２７、ＭＯＤＥＭ２８、切替スイッチ２９などの部品が実装された電子基板である。なお、本実施形態では、メイン基板２０上に音量調整回路８１も搭載されている。
【００５２】
メインＭＰＵ２１は、ＲＯＭ２２に記録された制御プログラムを実行することにより、本装置１の動作を制御する。メモリコントローラ２４は、メインＭＰＵ２１によるＳＤＲＡＭ２５に対するアクセスを仲介するインタフェースである。ＳＲＡＭ２３は、メインＭＰＵ２１により更新及び参照されるデータを記憶する。
【００５３】
ＭＯＤＥＭ２８は、ＮＣＵ基板５０を通じて外部のファクシミリ装置へ送信するデータの送信信号を変調する処理及びＮＣＵ基板５０により得られる受信信号を復調する処理を行う。更に、ＭＯＤＥＭ２８は、公衆回線を通じた外部のファクシミリ装置との通信中に、通信中であることを表す音響信号（ファクシミリ通信音）を出力する。
【００５４】
ＣＯＤＥＣ２６は、スキャナユニット３０、ＭＯＤＥＭ２８及びＬＡＮインタフェース基板６０の各々により得られる画像データを圧縮してＳＤＲＡＭ２５に記録する処理、及び圧縮された画像データを伸張する処理を行う。
【００５５】
本実施形態の音響信号生成回路２７は、第１音響信号及び第２音響信号を生成して音響出力回路１５に出力する電子回路であり、例えばＡＳＩＣなどにより構成されている。
【００５６】
前述したように、切替スイッチ２９は、メインＭＰＵ２１から出力される制御信号に応じて、音響信号生成回路２７から出力される音響信号及びＭＯＤＥＭ２８から出力される音響信号のうちのいずれか一方を選択するスイッチである。この切替スイッチ２９により選択された音響信号は、音量調整回路８１にて音量調整が行われた後、音響出力回路１５に出力される。
【００５７】
音量調整回路８１は、切替スイッチ２９から出力された音響信号を、同回路で指定された音量レベルに調整する回路である。本実施形態では、音量調整回路８１は、メインＭＰＵからの制御信号によって、多段階に調整が可能に構成されている。
【００５８】
図２は、音量調整回路８１の一実施例を模式的に示すブロック図である。本実施形態では、メインＭＰＵ２１から３ビットのディジタル信号（SP_VOL0, SP_VOL1, SP_VOL2）によって音量調整制御信号が入力され、このディジタル信号に基づいて抵抗分圧が変更されて８段階の音量レベルの調整が可能に構成されている。R1〜R9は抵抗、I0〜I2は入力端子、X0〜X7は各抵抗に接続された出力端子である。入力端子I0〜I2に与えられるディジタル信号によって、アナログスイッチの接続状態が変更され、これによって、音源５から与えられる音響信号の出力電圧レベルが変更される。なお、図２では、本実施形態において音源を形成する音響信号生成回路２７及ＭＯＤＥＭ２８を統合して「音源５」と称している。
【００５９】
図２はあくまで一実施例であり、この態様に限定されるわけではない。入力されるディジタル信号に基づいて、レベル調整が可能なアナログ信号が出力される構成であれば、他の態様も可能である。
【００６０】
音量調整回路８１によって音量調整が施された音響信号は、サブ基板１０上の音響出力回路１５に出力される。音響出力回路１５において、必要に応じてアンプによって増幅処理が施された後、スピーカから外部出力される。
【００６１】
［ＮＣＵ基板］
ＮＣＵ基板５０は、公衆回線に接続され、外部のファクシミリ装置との間で授受される発呼信号及びコマンドを送信及び受信することにより、発信及び着信の制御及びダイヤル制御を行う。メインＭＰＵ２１は、外部のファクシミリ装置との間で、ＮＣＵ基板５０及びＭＯＤＥＭ２８を通じて、画像データの送信及び受信を行う。
【００６２】
［ＬＡＮインタフェース基板］
ＬＡＮインタフェース（Ｉ／Ｆ）基板６０は、メインＭＰＵ２１と外部の計算機との間のネットワーク通信を制御する電子基板であり、一般にＮＩＣ(Network Interface Card)と称される。メインＭＰＵ２１は、外部の計算機との間で、ＬＡＮインタフェース基板６０を通じて、画像データの送信及び受信を行う。
【００６３】
［省電力動作状態についての説明］
図１に示したように、本装置１は、機能に応じて区分された複数の電子基板１０、２０、３１、４１、５０、６０によって構成される。そして、メインＭＰＵ２１は、状況に応じてこれらの電子基板各々に対する電力供給を個別に停止することによって省電力制御を行うことのできる構成である。
【００６４】
省電力制御において、メインＭＰＵ２１は、制御スイッチ７１の制御によってサブ基板１０に対する電力供給のＯＮ／ＯＦＦを切り替える。同様に、メインＭＰＵ２１は、制御スイッチ７２及び制御スイッチ７３各々の制御により、スキャナ制御基板３１及びプリンタ制御基板４１各々に対する電力供給のＯＮ／ＯＦＦを切り替える。但し、サブ基板１０においては、キーマトリクス１１及びパネルディスプレイ１２に対する電力供給ラインと、音響出力回路１５に対する電力供給ラインとが、独立して設けられている。
【００６５】
制御スイッチ７１、７２及び７３は、一例としてメイン基板２０に実装される。別の例としては、制御スイッチ７１がサブ基板１０に実装され、制御スイッチ７２がスキャナ制御基板３１に実装され、制御スイッチ７３がプリンタ制御基板４１に実装される態様も可能である。
【００６６】
例えば、メインＭＰＵ２１は、キーマトリクス１１及び省エネスイッチ１８に対する操作が、所定の第１待機時間（ｔ１）以上継続して検知されない場合に、サブ基板１０におけるキーマトリクス１１及びパネルディスプレイ１２に対する電力供給を停止する。その際、音響出力回路１５に対する電力供給は維持される。すなわち、メインＭＰＵ２１及び制御スイッチ７１は、サブ基板１０について、実装された部品群の全てに対して電力が供給される第１通電状態と、音響出力回路１５に対して電力が供給され、その他の部品に対して電力が供給されない第２通電状態とに切り替える。なお、以下では、サブ基板１０が第１通電状態にある場合を「通常動作状態」、第２通電状態にある場合を「省電力動作状態」と呼ぶことがある。
【００６７】
サブ基板１０が第２通電状態である場合（省電力動作状態）でも、メイン基板２０及び音響出力回路１５は電力が供給されている。そのため、本装置１は、省電力動作状態の下でも、外部装置からのアクセスに応じてデータ処理及び音響出力処理を行うことが可能である。つまり、ファクシミリの着信を通知する音響信号、ファクシミリデータの受信エラーを通知する音響信号、外部の計算機からの要求に応じたプリント処理のエラーを通知する音響信号など、第２音響信号及び第３音響信号に基づく音響を出力することが可能である。
【００６８】
更に、省エネスイッチ（節電キー）１８の押下は、メイン基板２０上のメインＭＰＵ２１によって検出する構成であるため、省電力動作状態においても認識可能な構成である。メインＭＰＵ２１は、省電力動作状態において省エネスイッチ１８が押下されたことを検出すると、音響信号生成回路２７に対してその操作音（アック、ナック音）に係る音響信号の生成指示を与え、音響信号生成回路２７がこの音響信号を生成する。生成された音響信号は、音量調整が施された後、音響出力回路１５に出力される。このとき、メインＭＰＵ２１は、キーマトリクス１１及びパネルディスプレイ１２に対する電力供給を復帰させる。これにより、キーマトリクス１１及びパネルディスプレイ１２が使用可能な状態となる。
【００６９】
つまり、省エネスイッチ１８は、通常動作状態の下で押下されると本装置１を省電力動作状態に移行させ、逆に省電力動作状態の下で押下されると本装置１を通常動作状態に移行させるスイッチを構成している。
【００７０】
また、メインＭＰＵ２１は、スキャナユニット３０が動作しない時間が、所定の第２待機時間（ｔ２）以上継続した場合に、スキャナ制御基板３１に対する電力供給を停止する。同様に、メインＭＰＵ２１は、プリンタユニット４０が動作しない時間が、所定の第３待機時間（ｔ３）以上継続した場合に、プリンタ制御基板４１に対する電力供給を停止する。サブ基板１０、スキャナ制御基板３１及びプリンタ制御基板４１の各々に対して予め設定された第１待機時間（ｔ１）、第２待機時間（ｔ２）及び第３待機時間（ｔ３）の情報は、ＳＲＡＭ２３に予め記憶される。
【００７１】
また、メインＭＰＵ２１は、キーマトリクス１１に対する操作又は外部装置からのアクセスに応じて、原稿の画像のスキャン処理又はプリント処理が必要となったときに、その処理を実行するために必要なスキャナ制御基板３１又はプリンタ制御基板４１に対する電力供給を復帰させる。このように、本装置１は、機能に応じて区分された複数の電子基板１０、３１、４１各々に対する電力供給を、状況に応じて個別に停止することによって省電力制御を行う。
【００７２】
また、本装置１は、商用電源に接続されている状況下で、常に電力の供給を続けるメイン電源（第１電源）７０と、メインＭＰＵ２１の制御により、電力の出力を停止可能な省エネ電源（第２電源）８０とを備えている。メイン基板２０、ＮＣＵ基板５０及びＬＡＮインタフェース基板６０は、メイン電源７０から電力が供給される。一方、スキャナ制御基板３１及びプリンタ制御基板４１は、省エネ電源８０から電力が供給される。なお、図１において、矢印付きの破線は電力供給ラインを表している。
【００７３】
また、上述したように、サブ基板１０に実装された部品には、省電力動作状態において電力供給が停止される部品と、同状態の下でも電力供給が行われる部品（「特定の電子部品」に対応）とが存在する。本実施形態では、前者の部品に対しては省エネ電源８０から電力を供給し、後者の部品に対してはメイン電源７０から電力を供給することで、このような電力供給状態を実現している。すなわち、キーマトリクス１１及びパネルディスプレイ１２においては、省エネ電源８０から電力が供給される一方、音響出力回路１５はメイン電源７０から電力が供給される。
【００７４】
そして、メインＭＰＵ２１は、上述した待機時間（ｔ１，ｔ２，ｔ３）を超えて操作されなかったことで制御スイッチ７１、７２、及び７３により、省エネ電源８０からサブ基板１０、スキャナ制御基板３１及びプリンタ制御基板４１への電力供給が停止し、本装置１が省電力動作状態に移行すると、省エネ電源８０の電力の出力自体を停止する。これにより、省エネ電源８０の待機中の消費電力が抑制される。
【００７５】
また、通常動作状態の下で省エネスイッチ１８が押下された場合においても、メインＭＰＵ２１は、本装置１を通常動作状態から省電力動作状態に移行すべく省エネ電源８０の電力の出力を停止する。これにより、手動操作によって最も消費電力の少ない状態に移行することができる。なお、メインＭＰＵ２１は、省エネスイッチ１８が押下された際、まず制御スイッチ７１、７２、及び７３をオフにして各基板への通電を停止する制御を行うものとしても構わない。また、省エネスイッチ１８の誤入力を防止すべく、予め定められた時間以上継続して押下された場合に限って、メインＭＰＵ２１は動作状態の切替制御を行う構成とするのが好適である。
【００７６】
［音響関係ブロック］
次に、本装置１の音響に関連する動作内容につき、図３を参照して説明する。図３は、図１より音響に関係する箇所を抜粋して模式的に示したものである。
【００７７】
なお、図３において、太い破線で囲まれた領域Ａ１は、第２通電状態（省電力動作状態）においても通電されている箇所を表している。サブ基板１０においては、上述したように、第２通電状態の下では通電が停止する箇所（キーマトリクス１１など）が存在する。また、図３において、ブロック間を接続する実線によって音響信号の伝送を示し、ブロック間を接続する矢印付き破線によって制御信号の伝送を示している。
【００７８】
本実施形態では、音響出力回路１５より出力する音響信号の出力レベルを調整するための音量調整回路８１がメイン基板２０上に形成され、この制御はメイン基板２０上のメインＭＰＵ２１によって行われる。このため、省電力動作状態においても、メインＭＰＵ２１が音量調整回路８１に対して音量調整のための制御信号を出力することが可能であり、音量調整回路８１は、音量調整後の音響信号を音響出力回路１５に出力することが可能である。
【００７９】
つまり、省電力動作状態の下で、省エネスイッチ１８が押下されたとき、メインＭＰＵ２１からの制御に基づいて音響信号生成回路２７が操作音に係る信号を生成し、当該信号が切替スイッチ２９を介して音量調整回路８１に送られ、音量調整が施された後の音響信号が音響出力回路１５から出力される。
【００８０】
また、省電力動作状態の下で、ＭＯＤＥＭ２８がファクシミリを受信した場合、まず、メインＭＰＵ２１からの制御の下、音響信号生成回路２７が擬似ベル音に係る信号を生成する。この信号は切替スイッチ２９を介して音量調整回路８１に送られ、音量調整が施された後の音響信号が音響出力回路１５から出力される。この間、本装置１は、省電力動作状態から通常動作状態に移行する。通常動作状態に移行した後は、ＭＯＤＥＭ２８から出力されたファクシミリ通信音が切替スイッチ２９を介して音量調整回路８１に送られ、音量調整が施された後の音響信号が音響出力回路１５から出力される。
【００８１】
なお、本実施形態の構成の場合は、ＭＯＤＥＭ２８から出力される音響信号が、メイン基板２０上の音量調整回路８１を介して音響出力回路１５に送られる構成であるため、省電力動作状態の下で必ずしも擬似ベル音を出力しなくてもよい。すなわち、省電力動作状態の下でＭＯＤＥＭ２８がファクシミリを受信した場合においても、ＭＯＤＥＭ２８から出力されたファクシミリ通信音が切替スイッチ２９を介して音量調整回路８１に送られ、音量調整が施された後の音響信号が音響出力回路１５から出力される構成としてもよい。
【００８２】
また、本実施形態では、メインＭＰＵ２１が音響出力をミュートにするためのミュート制御信号を出力する構成である。このため、音響出力をミュートにしたい場合には、省電力動作状態であっても、メインＭＰＵ２１から音響出力回路１５に対してミュート制御信号を出力することができ、これによって音響出力回路１５からの音響出力をミュートにすることができる。
【００８３】
なお、本実施形態では、音響信号生成回路２７がメインＭＰＵ２１の外に別回路として存在するものとして説明したが、音響信号生成回路２７がメインＭＰＵ２１に一体化されて構成されているものとしても構わない。
【００８４】
〔第２実施形態〕
本装置の第２実施形態（以下、適宜「本実施形態」という。）の構成について説明する。図４は、本実施形態に係る画像処理装置１の全体構成を示す概念的ブロック図である。なお、以下では、主として第１実施形態と異なる箇所を説明する。
【００８５】
［サブ基板］
本実施形態では、第１実施形態と異なり、サブ基板１０上にもＭＰＵ（サブＭＰＵ）１４が搭載されている。そして、このサブＭＰＵ１４が、キーマトリクス１１に対する操作に対応した表示情報の映像信号生成し、その映像信号をパネルディスプレイ１２に出力する。
【００８６】
更に、サブＭＰＵ１４がキーマトリクス１１に対して操作がなされたことを検知すると、キーマトリクス１１に対する操作に対応した音響信号の生成を行う。なお、本実施形態では、サブＭＰＵ１４内に音響信号生成回路９３を内蔵しており、この音響信号生成回路９３によって操作キーの操作音（アック音、ナック音）、キー操作により要求されたガイダンスの音声、エラー通知のためのビープ音といった、上記の「第１音響信号」が生成される。なお、音響信号生成回路９３は、サブ基板１０上のサブＭＰＵ１４の外側に位置され、サブＭＰＵ１４によって制御される構成としても構わない。同様に、メイン基板２０上の音響信号生成回路２７は、メインＭＰＵ２１に内蔵されていても構わない。この点は、各実施形態において同様である。
【００８７】
また、本実施形態では、サブ基板１０上に切替スイッチ１６が設けられ、サブＭＰＵ１４から出力される制御信号に応じて、サブＭＰＵ１４（音響信号生成回路９３）から出力される音響信号及びＭＯＤＥＭ２８から出力される音響信号のうちのいずれか一方が選択される。選択された音響信号は、サブ基板１０上に設けられた第２音量調整回路９１に出力され、音量調整がなされた後、サブ基板１０の音響出力回路１５へ出力される。なお、本実施形態では、サブ基板１０、メイン基板２０の双方に音量調整回路を設ける構成であり、メイン基板２０上の音量調整回路を「第１音量調整回路８１」、サブ基板１０上の音量調整回路を「第２音量調整回路９１」と称している。
【００８８】
更に、サブ基板１０上にはミュート切替回路９２を備え、サブＭＰＵ１４からの制御信号に基づいて、ミュート切替回路９２はミュート制御信号を音響出力回路１５に出力が可能に構成されている。音響出力回路１５は、このミュート制御信号の入力を受け付けると、出力する音響信号のボリュームをゼロにする。
【００８９】
なお、本実施形態では、サブＭＰＵ１４を有するも、省エネスイッチ１８の状態（ＯＮ又はＯＦＦ）は、第１実施形態と同様にメイン基板２０に実装されたメインＭＰＵ２１によって検知される構成である。
【００９０】
サブＭＰＵ１４、切替スイッチ１６、及び第２音量調整回路９１は、キーマトリクス１１，パネルディスプレイ１２、ＬＥＤ１３などと同様に、省エネ電源８０から電力が供給される構成である。つまり、通常動作状態から省電力動作状態に移行されると、サブＭＰＵ１４に対する電力供給は停止する。一方、ミュート切替回路９２は、音響出力回路１５と同様に、メイン電源７０から電力が供給され、通常動作状態と省電力動作状態の双方においても電力が供給される。
【００９１】
［メイン基板］
本実施形態では、サブ基板１０上に切替スイッチ１６を設ける一方、メイン基板２０上には切替スイッチ２９を設けない構成となっている。その他は第１実施形態の構成と同様である。
【００９２】
［音響関係ブロック］
次に、本実施形態の音響に関連する動作内容につき、図５を参照して説明する。図５は、図４より音響に関係する箇所を抜粋して模式的に示したものである。なお、図示の態様は図３と同様である。
【００９３】
本実施形態では、音響出力回路１５より出力する音響信号の出力レベルを調整するための音量調整回路をメイン基板２０上とサブ基板１０上にそれぞれ有している。メイン基板２０上に形成された第１音量調整回路８１は、メイン基板２０上のメインＭＰＵ２１によって制御される。また、サブ基板１０上に形成された第２音量調整回路９１は、サブ基板１０上のサブＭＰＵ１４によって制御される。つまり、省電力動作状態の下では、サブＭＰＵ１４への電力供給が停止されているため、第２音量調整回路９１の機能も停止する構成である。
【００９４】
通常動作状態の下では、キーマトリクス１１に対する操作などサブ基板１０上のイベントに起因した第１音響信号については、サブＭＰＵ１４の制御の下、音響信号生成回路９３によって生成され、切替スイッチ１６を介して第２音量調整回路９１に送られる。第２音量調整回路９１は、サブＭＰＵ１４から送られる音量調整のための制御信号に基づいて音量調整を行い、音量調整後の音響信号を音響出力回路１５に出力する。
【００９５】
また、通常動作状態の下、メイン基板２０に関するイベントが生じると、当該イベントに起因した第２音響信号が、メインＭＰＵ２１の制御下で音響信号生成回路２７によって生成され、当該信号は第１音量調整回路８１に送られる。第１音量調整回路８１は、メインＭＰＵ２１から送られる音量調整のための制御信号に基づいて音量調整を行い、音量調整後の音響信号を音響出力回路１５に出力する。
【００９６】
また、通常動作状態の下、ファクシミリを受信すると、ＭＯＤＥＭ２８が第３音響信号を生成し、切替スイッチ１６を介して第２音量調整回路９１に送られる。第２音量調整回路９１は、サブＭＰＵ１４から送られる音量調整のための制御信号に基づいて音量調整を行い、音量調整後の音響信号を音響出力回路１５に出力する。
【００９７】
一方、省電力動作状態の下では、第１実施形態と同様に、メインＭＰＵ２１及び第１音量調整回路８１については依然として電力供給が継続するため、メインＭＰＵ２１の制御の下で音量調整が可能である。つまり、省電力動作状態の下で、例えば省エネスイッチ１８が押下されたとき、メインＭＰＵ２１からの制御に基づいて音響信号生成回路２７が操作音に係る信号を生成し、当該信号が第１音量調整回路８１に送られ、音量調整が施された後の音響信号が音響出力回路１５から出力される。
【００９８】
また、省電力動作状態の下で、ＭＯＤＥＭ２８がファクシミリを受信した場合、まず、メインＭＰＵ２１からの制御の下、音響信号生成回路２７が擬似ベル音に係る信号を生成する。この信号は第１音量調整回路８１に送られ、音量調整が施された後の音響信号が音響出力回路１５から出力される。この間、本装置１は、省電力動作状態から通常動作状態に移行する。通常動作状態に移行後は、ＭＯＤＥＭ２８から出力されたファクシミリ通信音が切替スイッチ１６を介して第２音量調整回路９１に送られ、音量調整が施された後の音響信号が音響出力回路１５から出力される。
【００９９】
また、本実施形態では、サブ基板１０上に音響出力をミュートにするためのミュート切替回路９２を備える構成である。このミュート切替回路９２は、メイン電源７０から電力供給される構成であり、省電力動作状態の下でも通電が継続する。
【０１００】
ミュート切替回路９２は、メインＭＰＵ２１及びサブＭＰＵ１４の双方によって制御可能な構成であり、制御信号を受け付けると音響出力回路１５に対してミュート制御信号を出力し、音響出力をミュートにすることができる。よって、通常動作状態の下では、サブＭＰＵ１４からの制御によって音響出力回路１５に対してミュート制御信号を出力し、省電力動作状態の下では、メインＭＰＵ２１からの制御によって音響出力回路１５に対してミュート制御信号を出力することができる。
【０１０１】
図３と図５を比較すると、メイン基板２０側については切替スイッチ２９の有無以外は、同一の構成要素にて実現可能である。従って、メイン基板２０側については第１実施形態のように切替スイッチ２９を設ける構成としておき、サブＭＰＵ１４を実装する機種についてはサブ基板１０を本実施形態のような構成とし、サブＭＰＵ１４を実装しない機種についてはサブ基板１０を第１実施形態のような構成とすることで、双方共に省電力動作状態下においても音量調整機能を実現することが可能となる。なおこの場合、本実施形態においてメイン基板２０側においても切替スイッチ２９が設けられる構成となるが、単なる信号経路として機能させればよく、必ずしもスイッチとして機能させる必要はない。
【０１０２】
なお、本実施形態では、省エネスイッチ１８の状態（ＯＮ又はＯＦＦ）が、メイン基板２０に実装されたメインＭＰＵ２１及びサブ基板１０に実装されたサブＭＰＵ１４によって検知される。よって、通常動作状態の下で省エネスイッチ１８が押下されると、サブＭＰＵ１４がこれを検知して、音響信号生成回路９３に対してその操作音（アック、ナック音）に係る音響信号の生成指示を与えると共に、制御スイッチ７１などをオフ制御して自身（サブＭＰＵ１４）を含むサブ基板１０上の所定の電子部品に対する電力供給を停止する制御を行う。一方、省電力動作状態の下で省エネスイッチ１８が押下されると、メインＭＰＵ２１がこれを検知して、音響信号生成回路２７に対してその操作音（アック、ナック音）に係る音響信号の生成指示を与えると共に、制御スイッチ７１などをオン制御してサブＭＰＵ１４を含むサブ基板１０上の所定の電子部品に対する電力供給を開始して、通常動作状態に復帰させるための制御を行う。この点については、以下の各実施形態についても同様である。
【０１０３】
〔第３実施形態〕
本装置の第３実施形態（以下、適宜「本実施形態」という。）の構成について説明する。図６は、本実施形態に係る画像処理装置１の全体構成を示す概念的ブロック図である。なお、以下では、主として第１〜第２実施形態と異なる箇所を説明する。
【０１０４】
［サブ基板］
本実施形態では、第２実施形態と同様、サブ基板１０上にもＭＰＵ（サブＭＰＵ）１４が搭載されている。一方、第２実施形態と異なり、第２音量調整回路９１に加えて、第１音量調整回路８１についても、サブ基板１０上に搭載され、双方がサブＭＰＵ１４によって制御される構成である。なお、第２実施形態と同様に、メイン基板２０上に搭載された音響信号生成回路２７から出力される音響信号の入力を受け付けて音量調整を行う回路を「第１音量調整回路８１」と称する。また、サブＭＰＵ１４の音響信号生成回路９３から出力される音響信号の入力を受け付けて音量調整を行う回路を「第２音量調整回路９１」と称する。
【０１０５】
なお、この第１音量調整回路８１は、第２実施形態においてメイン基板２０上に搭載されていたものと同様、メイン電源７０から電力供給を受ける構成である。つまり、省電力動作状態下においても、第１音量調整回路８１への電力供給は継続される。一方で、第２音量調整回路９１は、省エネ電源８０から電力供給を受ける構成であり、省電力動作状態の下では通電が停止される。
【０１０６】
更に、この第１音量調整回路８１は、第２実施形態と異なり、データを一時的に保持するラッチ機能を有している。この点については後述する。
【０１０７】
その他の構成については、第２実施形態と共通である。
【０１０８】
［メイン基板］
本実施形態では、サブ基板１０上に第１音量調整回路８１を設ける一方、メイン基板２０上には第１音量調整回路８１は設けていない。つまり、メイン基板２０上の音響信号生成回路から出力された音響信号は、音量調整が施されていない状態のまま、サブ基板１０上の第１音量調整回路８１に出力される構成である。
【０１０９】
その他の構成については、第２実施形態と共通である。
【０１１０】
［音響関係ブロック］
次に、本実施形態の音響に関連する動作内容につき、図７を参照して説明する。図７は、図６より音響に関係する箇所を抜粋して模式的に示したものである。なお、図示の態様は図３と同様である。
【０１１１】
本実施形態では、音響出力回路１５より出力する音響信号の出力レベルを調整するための音量調整回路をサブ基板１０上に２つ有している（第１音量調整回路８１、第２音量調整回路９１）。第１音量調整回路８１及び第２音量調整回路９１は、共にサブ基板１０上のサブＭＰＵ１４によって制御される。つまり、省電力動作状態の下では、サブＭＰＵ１４への電力供給が停止されているため、第１音量調整回路８１及び第２音量調整回路９１の双方共、サブＭＰＵ１４からの制御信号に基づく音量調整機能が停止される。
【０１１２】
しかし、本実施形態では、第１音量調整回路８１はデータを一時的に保持するラッチ機能を有する構成である。より具体的には、通常動作状態から省電力動作状態に移行する際、サブＭＰＵ１４から第２音量調整回路９１に出力されていた音量調整のディジタル信号が、同ラッチ機能によってラッチされる。そして、省電力動作状態に移行後、音響信号生成回路２７から出力された音響信号は、このラッチされたディジタル信号に基づいて、例えば図２で説明したような方法により、音量調整が行われる。これにより、省電力動作状態に移行後であっても、通常動作状態下で設定された音量と同レベルの音響信号が音響出力回路１５から出力される。
【０１１３】
図８は、本実施形態における音量調整機能を説明するための概念的なブロック図である。なお、図８では、説明の便宜上、音源を構成するメイン基板２０上の音響信号生成回路２７を「音源５Ａ」と称し、サブＭＰＵ１４内の音響信号生成回路９３及びＭＯＤＥＭ２８を「音源５Ｂ」と称している。なお、図８に示す各音量調整回路８１及び９１の構成は、あくまで一例であり、この構成に限定されるものではない。
【０１１４】
通常動作状態の下では、音源５Ｂから出力される音響信号は、サブＭＰＵ１４から出力される音量調整のためのディジタル信号（SP_VOL0, SP_VOL1, SP_VOL2）に基づいて第２音量調整回路９１によって音量調整が施されて、音響出力回路１５から外部出力される。そして、通常動作状態から省電力動作状態に移行時においては、サブＭＰＵ１４からラッチ指示のためのセット信号SP_VOLSETが第１音量調整回路８１内のラッチ回路（例えばＤ−ＦＦのクロック端子）に入力される。
【０１１５】
第１音量調整回路８１内のラッチ回路は、サブＭＰＵ１４から出力される音量調整のためのディジタル信号（SP_VOL0, SP_VOL1, SP_VOL2）の入力を受け付ける構成であり、セット信号SP_VOLSETが入力されると、その時点で入力されている音量調整のためのディジタル信号の値を保持する。よって、通常動作状態から省電力動作状態への移行時に、第１音量調整回路８１内のラッチ回路によって、その直前における音量調整のためのディジタル信号（SP_VOL0, SP_VOL1, SP_VOL2）の値が保持される。
【０１１６】
省電力動作状態に移行した後は、音源５Ａから出力される音響信号は、第１音量調整回路８１によって音量調整が施されて、音響出力回路１５から外部出力される。このとき、第１音量調整回路８１は、ラッチ回路によって保持された音量調整のためのディジタル信号に基づいて音量調整を行う。これにより、省電力動作状態の移行時点で、サブＭＰＵ１４によって指定されていた音量レベルを、省電力動作状態の下でも保持することが可能となる。
【０１１７】
本構成によれば、音量レベル信号として、図２で示した構成と同様の構成によって、音量調整を行うことが可能であり、ラッチのためのセット信号SP_VOLSETを追加するだけで実現できる。すなわち、このラッチ用セット信号を除けば、図２の構成から出力信号線の態様を変更する必要がなく、製品設計上利便性が高い。
【０１１８】
なお、上述では、通常動作状態から省電力動作状態への移行時に、第２音量調整回路９１への音量調整のディジタル信号がラッチされるものとしたが、ラッチ機能を実現させるタイミングをサブＭＰＵ１４側から任意に変更できるものとしてもよい。
【０１１９】
〔第４実施形態〕
本装置の第４実施形態（以下、適宜「本実施形態」という。）の構成について説明する。図９は、本実施形態に係る画像処理装置１の全体構成を示す概念的ブロック図である。なお、以下では、主として第１〜第３実施形態と異なる箇所を説明する。
【０１２０】
［サブ基板］
本実施形態でも、第２及び第３実施形態と同様、サブ基板１０上にもＭＰＵ（サブＭＰＵ）１４が搭載されている。一方、第３実施形態と異なり、第２音量調整回路９１を備えず、音量調整回路は第１音量調整回路８１Ａのみを有する構成である。この第１音量調整回路８１Ａは、第３実施形態の第１音量調整回路８１と同様に、メイン電源７０からの電力が供給され、サブＭＰＵ１４によって制御される構成である。
【０１２１】
また、切替スイッチ１６は、メイン基板２０上のＭＯＤＥＭ２８から出力される音響信号と、サブ基板１０上のサブＭＰＵ１４（音響信号生成回路９３）から出力される音響信号を切り替えて、第１音量調整回路８１Ａに出力する構成である。切替スイッチ１６から出力された音響信号は、第１音量調整回路８１Ａによって音量調整が施され、音響出力回路１５より外部出力される。
【０１２２】
なお、この第１音量調整回路８１Ａは、第３実施形態と同様のラッチ機能を有している。また、後述するように加算回路を備える点を除き、他の構成については、第３実施形態と共通である。
【０１２３】
［音響関係ブロック］
次に、本実施形態の音響に関連する動作内容につき、図１０を参照して説明する。図１０は、図９より音響に関係する箇所を抜粋して模式的に示したものである。なお、図示の態様は図３と同様である。
【０１２４】
本実施形態では、音量調整回路に関し、第１音量調整回路８１Ａのみを有する構成であり、同回路はサブ基板１０上に形成されると共に省電力動作状態の下でも電力供給が継続するように構成されている。ただし、第１音量調整回路８１Ａは、サブ基板１０上のサブＭＰＵ１４によって制御される構成であるため、第３実施形態と同様に、省電力動作状態の下ではサブＭＰＵ１４からの制御信号に基づく音量調整機能が停止される。
【０１２５】
しかし、本実施形態においても、第３実施形態の第１音量調整回路８１と同様に、第１音量調整回路８１Ａはデータを一時的に保持するラッチ機能を有している。より具体的には、通常動作状態から省電力動作状態に移行する際、サブＭＰＵ１４から第１音量調整回路８１Ａに出力されていた音量調整のディジタル信号が、同ラッチ機能によってラッチされる。そして、省電力動作状態に移行後、音響信号生成回路２７から出力された音響信号は、このラッチされたディジタル信号に基づいて、例えば図２で説明したような方法により、音量調整が行われる。これにより、省電力動作状態に移行後であっても、通常動作状態下で設定された音量と同レベルの音響信号が音響出力回路１５から出力される。
【０１２６】
図１１は、図８にならって図示した、本実施形態における音量調整機能を説明するための概念的なブロック図である。図１１に示すように、本実施形態における第１音量調整回路８１Ａは加算回路８３を備えている。この加算回路８３には、音源５Ａからの音響信号と音源５Ｂからの音響信号が入力される。メインＭＰＵ２１からの制御により、通常の動作時には、音源５Ａと音源５Ｂの双方から同時に音響信号が出力されることはないので、どちらか一方の音響信号が加算回路８３に入力され、後段の回路に出力される。なお、かかる機能を有する手段であれば、加算回路８３に代えて他の手段を用いても構わない。本実施形態では、音量調整回路として、第１音量調整回路８１Ａしか備えない構成であるため、１つの音量調整回路で、２つの音源（５Ａ、５Ｂ）からの音響信号の出力調整を行う必要がある。従って、これら２つの音源から出力される音響信号の両方が、第１音量調整回路８１Ａに入力される構成となる。このため、両信号が衝突したり、他方の音源側に出力信号が回りこむことのないよう、第１音量調整回路８１Ａは加算回路８３を設ける構成としている。加算回路８３は例えばオペアンプによって実現することができる。
【０１２７】
通常動作状態の下では、音源５Ｂから加算回路８３を介して出力される音響信号は、サブＭＰＵ１４から出力される音量調整のためのディジタル信号（SP_VOL0, SP_VOL1, SP_VOL2）に基づいて第１音量調整回路８１Ａによって音量調整が施されて、音響出力回路１５から外部出力される。そして、通常動作状態から省電力動作状態に移行時においては、サブＭＰＵ１４からラッチ指示のためのセット信号SP_VOLSETが第１音量調整回路８１Ａ内のラッチ回路（例えばＤ−ＦＦのクロック端子）に入力される。
【０１２８】
第１音量調整回路８１Ａ内のラッチ回路は、サブＭＰＵ１４から出力される音量調整のためのディジタル信号（SP_VOL0, SP_VOL1, SP_VOL2）の入力を受け付ける構成であり、セット信号SP_VOLSETが入力されると、その時点で入力されている音量調整のためのディジタル信号の値を保持する。よって、通常動作状態から省電力動作状態への移行時に、第１音量調整回路８１Ａ内のラッチ回路によって、その直前における音量調整のためのディジタル信号（SP_VOL0, SP_VOL1, SP_VOL2）の値が保持される。
【０１２９】
省電力動作状態に移行した後は、音源５Ａから出力される音響信号は、第１音量調整回路８１Ａによって音量調整が施されて、音響出力回路１５から外部出力される。このとき、第１音量調整回路８１Ａは、ラッチ回路によって保持された音量調整のためのディジタル信号に基づいて音量調整を行う。これにより、省電力動作状態の移行時点で、サブＭＰＵ１４によって指定されていた音量レベルを、省電力動作状態の下でも保持することが可能となる。
【０１３０】
図１２は、音量調整のディジタル信号をラッチする際の各信号のタイミングチャートを示したものである。音量SET信号（SP_VOLSET）がD-FFのCK端子に入力されたタイミングにおいて、D-FFの入力端子（D1,D2,D3）に入力されている音量調整制御信号（SP_VOL0, SP_VOL1, SP_VOL2）で示されたディジタル値がラッチされる。D-FFの出力端子からは、このラッチされたディジタル値が出力信号として出力される（SP_VOL0, SP_VOL1, SP_VOL2）。D-FFは、省電力動作状態の下でも電力供給が継続する第１音量調整回路８１Ａ内に実装されているため、通常動作状態から省電力動作状態に移行した後であっても、同ディジタル値を継続して出力する。なお、第３実施形態においても、図１２と同様のタイミングチャートに基づく制御がなされるものとして構わない。
【０１３１】
本構成によれば、音量レベル信号として、図２で示した構成と同様の構成によって、音量調整を行うことが可能であり、ラッチのためのセット信号SP_VOLSETを追加するだけで実現できる。すなわち、このラッチ用セット信号を除けば、図２の構成から出力信号線の態様を変更する必要がなく、製品設計上利便性が高い。
【０１３２】
更に、第３実施形態と比較して、音量調整回路を共通化できるため、部品点数が削減され、装置規模の縮小化が図れる。
【０１３３】
なお、上述では、D-FFを用いて音量調整のための制御用ディジタル信号を保持する構成としたが、図１３に示すようにD-Latch回路を用いて同様の機能を実現しても構わないし、他の回路構成によって実現しても構わない。
【０１３４】
図１３のようにD-Latch回路を用いる場合、サブＭＰＵ１４からの制御信号SP_VOLENが「Ｈ」レベルであれは、当該時点において入力されている音量調整制御信号（SP_VOL0, SP_VOL1, SP_VOL2）の値がそのままアナログSWに出力される。一方、省電力動作状態の下では、サブＭＰＵ１４への電力供給が停止されるため、制御信号SP_VOLENは「Ｌ」レベルとなるが、「Ｈ」から「Ｌ」に変化するタイミングで音量調整制御信号（SP_VOL0, SP_VOL1, SP_VOL2）の値がラッチされるため、これ以後は、ラッチされた同信号がそのままアナログSWに出力される。これにより、省電力動作状態になった後においても、音量レベルが保持される。
【０１３５】
〔別実施形態〕
以下に別実施形態につき説明する。
【０１３６】
〈１〉上述の実施形態では、本装置１が、メイン基板２０とサブ基板１０を備え、メイン基板２０上の各部品に対しては、通常動作状態、省電力動作状態の双方において通電が行われる一方、サブ基板上１０の部品に関しては、特定の部品を除いては省電力動作状態の下で電力供給が停止するものとして説明した。しかし、このように通電状態が異なる領域が存在するのが、必ずしも基板単位である必要はない。つまり、同一基板上において、特定の第１領域内においては、両動作状態の下で電力供給が継続する一方、別の特定の第２領域内においては、通常動作状態下では電力供給が行われるが省電力動作状態下では電力供給が行われない構成であってもよい。
【０１３７】
〈２〉音響出力回路１５にゲイン機能付きのアンプを備える構成としても構わない。この場合、メインＭＰＵ２１又はサブＭＰＵ１４からの制御信号に基づいて、更なる音響出力信号の音量調整が可能となる。
【符号の説明】
【０１３８】
１    ：  画像処理装置
５    ：  音源
５Ａ、５Ｂ  ：  音源
１０    ：  サブ基板
１１    ：  キーマトリクス
１２    ：  パネルディスプレイ
１３    ：  ＬＥＤ
１４    ：  サブＭＰＵ
１５    ：  音響出力回路
１６    ：  切替スイッチ
１８    ：  省エネスイッチ
２０    ：  メイン基板
２１    ：  メインＭＰＵ
２２    ：  ＲＯＭ
２３    ：  ＳＲＡＭ
２４    ：  メモリコントローラ
２５    ：  ＳＤＲＡＭ
２６    ：  ＣＯＤＥＣ
２７    ：  音響信号生成回路
２８    ：  ＭＯＤＥＭ
２９    ：  切替スイッチ
３０    ：  スキャナユニット
３１    ：  スキャナ制御基板
３２    ：  ＣＣＤラインセンサ
３３    ：  原稿センサ
３４    ：  原稿カバーセンサ
４０    ：  プリンタユニット
４１    ：  プリンタ制御基板
４２    ：  搬送路カバーセンサ
４３    ：  カセットセンサ
４４    ：  ジャムセンサ
５０    ：  ＮＣＵ基板
６０    ：  ＬＡＮインタフェース基板
７０    ：  メイン電源（第１電源）
７１、７２、７３    ：  制御スイッチ
８０    ：  省エネ電源（第２電源）
８１、８１Ａ    ：  （第１）音量調整回路
８３    ：  加算回路
９１    ：  第２音量調整回路
９２    ：  ミュート切替回路
９３    ：  音響信号生成回路
１００    ：  バス
【図１】
2013157976.tif 000003
【図２】
2013157976.tif 000004
【図３】
2013157976.tif 000005
【図４】
2013157976.tif 000006
【図５】
2013157976.tif 000007
【図６】
2013157976.tif 000008
【図７】
2013157976.tif 000009
【図８】
2013157976.tif 000010
【図９】
2013157976.tif 000011
【図１０】
2013157976.tif 000012
【図１１】
2013157976.tif 000013
【図１２】
2013157976.tif 000014
【図１３】
2013157976.tif 000015